(57)【要約】【課題】  連結部周辺を容易に清掃することができる簡易建物を提供することにある。【解決手段】  複数の屋根体７を連棟し、隣接する屋根体７同士を隙間を設けて連結部５１で連結し、この連結部５１が、前記隙間を開閉自在なカバー部材５３を備えることを特徴とする。【選択図】      図１
2005076260.tif 000002
【特許請求の範囲】
【請求項１】
複数の屋根体を連棟し、隣接する屋根体同士を隙間を設けて連結部で連結し、この連結部が、前記隙間を開閉自在なカバー部材を備えることを特徴とする簡易建物。
【発明の詳細な説明】
【技術分野】
【０００１】
本発明は、複数の屋根体を備えた簡易建物に関する。
【背景技術】
【０００２】
一般に、桁とたるきとを有する複数の屋根体をたるきの延びる方向に連棟し、隣接する屋根体の桁同士を連結部で連結したカーポート等の簡易建物が知られている（例えば、特許文献１参照）。この種のものでは、複数の屋根体を、前フレーム及び後フレームに例えば吊り下げ支持して、当該屋根体の下方に大空間を形成している。
【特許文献１】特開平１１−２５６８５６号公報
【発明の開示】
【発明が解決しようとする課題】
【０００３】
しかし、従来の構成では、複数の屋根体を連結部で連結した場合、この連結部に枯葉等の塵埃が溜まり易いという問題がある。この塵埃を除去するには、従来、脚立等を利用して屋根に登って除去したり、或いは水道水を吹きかけてそれを洗い流して除去したりしていたが、いずれもその清掃が困難であった。
【０００４】
そこで、本発明の目的は、上述した従来の技術が有する課題を解消し、連結部周辺を容易に清掃することができる簡易建物を提供することにある。
【課題を解決するための手段】
【０００５】
本発明は、複数の屋根体を連棟し、隣接する屋根体同士を隙間を設けて連結部で連結し、この連結部が、前記隙間を開閉自在なカバー部材を備えるものである。
【発明の効果】
【０００６】
本発明では、隣接する屋根体同士を、隙間を設けて連結する連結部に、この屋根体同士の隙間を開閉自在なカバー部材を設けたことにより、連結部周辺の清掃を容易に行うことができる。
【発明を実施するための最良の形態】
【０００７】
以下、本発明による簡易建物の一実施形態を添付した図面を参照して説明する。
【０００８】
図１乃至図４において、１はカーポート（簡易建物）を示し、このカーポート１は、門型の前フレーム３と、同じく門型の後フレーム５と、湾曲形成された複数（本実施形態では２つ）の屋根体７とを有して構成される。前フレーム３は一対の柱３Ａと、これら柱間を接続する梁３Ｂとを有して構成され、後フレーム５は一対の柱５Ａと、これら柱間を接続する梁５Ｂとを有して構成される。
【０００９】
各屋根体７は一対の桁７Ａを有し、これら桁７Ａ間には、湾曲した複数本のたるき７Ｂを渡して結合され、たるき７Ｂ間には格子状に母屋７Ｃを渡し、その上に、例えばポリカーボネイト製の屋根材７Ｄを配置して構成される。この屋根体７は湾曲形状に限定されず、平屋根（フラット屋根）であってもよいが、いずれの場合も、複数の屋根体７がたるき７Ｂの延びる方向に連棟されている。
【００１０】
上記構成では、屋根体７の後部、すなわち一対の桁７Ａの各後端部が、後フレーム５の梁５Ｂの上に載置され、図示を省略した連結金具を介してボルト止めされている。一方、屋根体７の前部、すなわち一対の桁７Ａの各前端部が、前フレーム３の梁３Ｂに一対の吊持具９を介して吊り下げ支持される。この構成では、前フレーム３側で屋根体７を吊り下げ支持するため、屋根体７の下方に前フレーム３の梁３Ｂが延び出すことがなく、カーポートの前方からの開放感を得ることができる。
【００１１】
また、後フレーム５側では、屋根体７が梁５Ｂの上に載置され、連結金具を介して堅固にボルト止めされるため、フレームに対し屋根のすべてを吊り下げ構造とした場合に比べ、フレームと屋根との接合強度を高めることができる。
【００１２】
吊持具９は、図５Ａに示すように、丸パイプ状の吊り束１１と、この吊り束１１の上端部を、前フレーム３の梁３Ｂの側面３Ｃに固定する上部固定部材１５および下部固定部材１７と、この下部固定部材１７の下方に延出した吊り束１１の下端部を屋根体７の桁７Ａに固定する固定部材２３とを備えて構成される。
【００１３】
この吊持具９は、図１に示すように、前フレーム３の梁３Ｂを挟むように、当該梁３Ｂの前後の各側面３Ｃ（図５参照）に取り付けられ、一組の吊持具９の各吊り束１１は、それぞれの固定部材２３を介して屋根体７の桁７Ａに固定される。
【００１４】
上部固定部材１５は、図５Ａに示すように、プレート部１５Ａと、このプレート部１５Ａの中程に一体的に設けられ、吊り束１１の上端部を保持する角パイプ状の保持部１５Ｂとを備えて構成される。そして、プレート部１５Ａは、図５Ｂに示すように、前フレーム３の梁３Ｂの凹部に嵌合された裏板２５に、ボルト２７を介して固定される。
【００１５】
吊り束１１の上端部は、保持部１５Ｂ内に挿入され、この保持部１５Ｂと吊り束１１とは、これらを一気貫通するボルト２９およびナット３１を介して連結される。ボルト２９は、吊り束１１の軸線にほぼ直交する方向に貫通し、吊り束１１の張力で剪断力を受けている。この構成では、万一ナット３１が脱落しても、剪断力を受けるボルト２９が抜け出ることはなく、ボルト２９抜けによる屋根体７の落下が防止される。
【００１６】
固定部材２３は、図５Ａに示すように、吊り束１１の下端部を保持する保持部２３Ａと、これを屋根７の桁７Ａに固定する固定部２３Ｂとからなり、この固定部２３Ｂをねじ３７で固定することにより屋根７の桁７Ａに固定される。吊り束１１の下端部は、保持部２３Ａに対し、ボルト３９およびナット（不図示）で連結される。
【００１７】
本実施形態では、複数の屋根体７が、たるき７Ｂの延びる方向に連棟し、隣接する屋根体７の桁７Ａ同士が、図６，図７に示すように、連結部５１で連結されている。この連結部５１は、図６に示すように、桁７Ａに一体形成された雨樋５３間を連結するピース状の連結部材５５を有して構成される。この連結部材５５は、図４に示すように、桁７Ａ方向に適宜の間隔をあけて、隣り合う雨樋５３間に複数個取り付けられており、これら連結部材５５の上には、図６に示すように、桁７Ａ同士の隙間Ｗを覆うカバー部材５７が開閉自在に取り付けられている。このカバー部材５７の長さは、桁７Ａの長さのほぼ１／３であり、合計３枚のカバー部材５７により、桁７Ａ同士の隙間Ｗが覆われている。なお、カバー部材５７の端縁同士の間には、シール材（図示省略）が適宜配置され、カバー部材５７の繋ぎ目からの雨水の浸入を防止している。上記桁７Ａ同士の隙間Ｗは、例えば作業者の腕が通過する程度の幅に設定することが望ましい。
【００１８】
連結部材５５は、図８に示すように、その中央がほぼ矩形状に凹んでおり、この凹んだ部分に係合部６１が形成され、この係合部６１には、図７に示すように、Ｕ字溝６４が形成されている。また、図８に示すように、係合部６１の両端には、略Ｕ字形に折り曲げられた屈曲部６３が一体的に形成され、一方（図中左側）の屈曲部６３には、略Ｌ字形状をした係止片６５が設けられ、この係止片６５は、リベット６７を介して、雨樋５３に固定されている。隣り合う雨樋５３の各先端５３Ａは、図中上方に延出し、上記連結部材５５の内面に当接している。なお、係止片６５は一方の屈曲部６３に形成したが、両方の屈曲部６３に形成し、両方で雨樋５３に固定してもよい。
【００１９】
カバー部材５７は、図８を参照し、桁７Ａ同士の隙間Ｗを覆う平板部７１と、この平板部７１の両端に形成され、下方に向けて折り曲げられた縁部７５と、平板部７１の下面に形成された突出部７３とを備える。この突出部７３の底面７６は平面であり、この突出部７３は、カバー部材５７の取り付け時に、図６に示すように、底面７６を連結部材５５の係合部６１に当接させた状態で、当該係合部６１に嵌合される。
【００２０】
上記突出部７３の底面７６には、図７，図８に示すように、カバー部材５７の長手方向に沿って延びるリブ７７が形成され、このリブ７７の長手方向全域には溝７７Ａが一体的に形成されている。この溝７７Ａには長手方向に移動自在にナット７９が嵌められ、このナット７９にはハンドル８０Ａのねじ８０が螺合している。
【００２１】
つぎに、本実施形態の動作を説明する。
【００２２】
図６において、カバー部材５７を開く場合、まず、カバー部材５７のハンドル８０Ａを回転させてねじ８０を緩め、ハンドル８０Ａを溝７７Ａに沿って（図７参照）移動させ、これによって、連結部材５５の係合部６１に設けられたＵ字溝６４と、上記ねじ８０との係合を解き、カバー部材５７を取り外し可能な状態にする。ついで、上記隙間Ｗから手を入れて、カバー部材５７を上方に押し退け、図８に示すように、取り外したカバー部材５７の一方の縁部７５を、図中左側の屈曲部６３の内に収め、そこにカバー部材５７を仮置きする。この状態で、上記隙間Ｗから手を入れて、図中右側の連結部５１の周辺、例えば雨樋５３の内側などを清掃する。
【００２３】
つぎに、この連結部５１の図中左側を清掃する場合、カバー部材５７を図中右側の屈曲部６３に移し、そこに仮置きし、連結部５１の図中左側を清掃する。
【００２４】
本実施形態では、桁とたるきとを有する複数の屋根体７をたるき７Ｂの延びる方向に連棟し、隣接する屋根体７の桁７Ａ同士を連結部５１で連結し、この連結部５１が、桁７Ａ同士の隙間を開閉自在なカバー部材５７を備えたため、このカバー部材５７を開くことにより、連結部５１周辺の清掃を容易に行うことができる。
【００２５】
清掃後、カバー部材５７を閉じる場合、カバー部材５７を連結部材５５の上に配置し、カバー部材５７のハンドル８０Ａを溝７７Ａに沿って（図７参照）移動させ、このハンドル８０Ａを、連結部材５５のＵ字溝６４に係合させた後、ハンドル８０Ａを回してねじ８０を締め付けて、カバー部材５７を連結部５１に固定する。
【００２６】
なお、本構成では、取り外したカバー部材５７を連結部材５５の屈曲部６３に移しているが、これに限るものではなく、この屈曲部６３を設けずに、カバー部材５７を屋根体７の下に降ろす構成としてもよい。
【００２７】
図９は、別の実施形態を示す。
【００２８】
本実施形態では、連結部５１が、桁７Ａに一体形成された雨樋５３間を連結するピース状のブラケット９１と、このブラケット９１とほぼ同長のピース状の連結部材９２とを有して構成される。このブラケット９１及び連結部材９２は、上記実施形態と同様に、桁７Ａ方向に適宜の間隔をあけて、隣り合う雨樋５３間に複数個取り付けられており、これら連結部材９２の上には、桁７Ａ同士の隙間Ｗを覆うカバー部材９３が開閉自在に取り付けられている。このカバー部材９３の長さは、桁７Ａの長さのほぼ１／３であり、合計３枚のカバー部材９３により、桁７Ａ同士の隙間Ｗが覆われている。なお、カバー部材９３の端縁同士の間には、シール材（図示省略）が適宜配置され、カバー部材９３の繋ぎ目からの雨水の浸入を防止している。
【００２９】
連結部材９２は、その中央がほぼ矩形状に凹んでおり、この凹んだ部分に係合部９２Ｃが形成され、この係合部９２Ｃの下面はブラケット９１に当接し、このブラケット９１及び連結部材９２には、図７に示す構成とほぼ同様の構成からなるＵ字溝（図示せず）がそれぞれ形成されている。そして、カバー部材９３は突出部９３Ａを備え、この突出部９３Ａの底面には、カバー部材９３の長手方向に沿って延びるリブ９３Ｃが形成され、このリブ９３Ｃの長手方向全域には溝９３Ｄが一体的に形成されている。この溝９３Ｄには、長手方向に移動自在にナット７９が嵌められ、このナット７９にはハンドル８０Ａのねじ８０が螺合している。
【００３０】
本実施形態では、連結部材９２の一端に、ほぼ円柱状の支点部９２Ａが形成されており、この支点部９２Ａが、雨樋５３に取り付けられた受け部材９４の受け部９４Ａに回転自在に嵌合している。また、連結部材９２の他端に、受け部９２Ｂが一体的に形成されており、この受け部９２Ｂには、カバー部材９３の一端に形成された支点部９３Ｂが回転自在に嵌合している。
【００３１】
つぎに、本実施形態の動作を説明する。
【００３２】
カバー部材９３を開く場合、ハンドル８０Ａを回転させてねじ８０を緩め、ハンドル８０Ａを溝９３Ｄに沿って（図７参照）移動させ、これによって、ブラケット９１及び連結部材９２の係合部９２Ｃにそれぞれ設けられたＵ字溝と、上記ねじ８０との係合を解き、連結部材９２及びカバー部材９３を取り外し可能な状態にする。
【００３３】
図９から図１０に示す状態に、連結部材９２ごと、カバー部材９３を開く場合、上記隙間Ｗに手を入れて、連結部材９２ごと、カバー部材９３を上方に押し退ける。この状態では、図１０に示すように、支点部９２Ａを中心に、連結部材９２ごと、カバー部材９３が跳ね上げられて、当該隙間Ｗが開放される。この状態で、上記隙間Ｗから手を入れて、図中右側の連結部５１の周辺、例えば雨樋５３の内側などを清掃する。
【００３４】
つぎに、この連結部５１の図中左側を清掃する場合、上記隙間Ｗに手を入れて、図９から図１１に示すように、連結部材９２を残したまま、カバー部材９３だけを上方に押し退ける。この状態では、図１１に示すように、支点部９３Ｂを中心に、カバー部材９３だけが跳ね上げられて、当該隙間Ｗが開放される。この状態で、上記隙間Ｗから手を入れて、連結部５１の図中左側を清掃する。
【００３５】
本実施形態では、いわゆる連結部５１の両側に支点部が形成されているため、カバー部材９３を左右いずれの方向にも跳ね上げて、当該隙間Ｗを開放することができるため、連結部５１周辺の清掃を容易に行うことができる。
【００３６】
清掃後、カバー部材９３を閉じる場合、カバー部材９３をブラケット９１上に配置し、カバー部材９３のハンドル８０Ａを溝９３Ｄに沿って移動させ、このハンドル８０Ａを、ブラケット９１のＵ字溝に係合させた後、ハンドル８０Ａを回してねじを締め付け、カバー部材９３をブラケット９１に固定する。
【００３７】
以上、一実施形態に基づき、本発明を説明したが、本発明は、これに限定されるものではない。例えば、上記実施形態では、２つの屋根体７を連棟したが、３つ以上の屋根体７を連棟する場合にも適用が可能である。３つ以上の屋根体７を連棟する場合、それぞれの連結部５１にカバー部材を設けてもよい。
【００３８】
上記実施形態では、カバー部材を跳ね上げて隙間Ｗを開閉自在としたが、これに限定されず、カバー部材を長手方向にスライドさせて開閉自在としてもよいし、カバー部材を脱着させて隙間Ｗを開閉自在としてもよい。
【００３９】
上記実施形態では、屋根体７が桁とたるきの組み合わせで構成されていたが、このような屋根体７でなく、例えば、片流れ式のカーポートを背中合わせに連結した場合等では、当該片流れ式屋根の連結部にも、当該構成を適用することが可能である。この場合、当該片流れ式屋根には雨樋があることから、各屋根体の雨樋を略平行に配列させて複数の屋根体を連棟し、隣接する屋根体の雨樋同士を隙間を設けて連結部で連結し、この連結部が、雨樋同士の隙間を開閉自在なカバー部材を備える。更に、例えば、片流れ式のカーポートの屋根体の先端を対向させ、いわゆる合掌式に連結した場合等では、当該片流れ式屋根の連結部にも、当該構成を適用することが可能である。この場合、当該片流れ式屋根の対向させる先端には雨樋が無いことから、各屋根体の先端縁を略平行に配列させて複数の屋根体を連棟し、隣接する屋根体の先端縁同士を隙間を設けて連結部で連結し、この連結部が、先端縁同士の隙間を開閉自在なカバー部材を備える。
【図面の簡単な説明】
【００４０】
【図１】本発明による簡易建物の一実施形態を示す斜視図である。
【図２】同じく正面図である。
【図３】同じく左側面図である。
【図４】同じく平面図である。
【図５】Ａは吊持具を示す正面図、Ｂは側面図である。
【図６】屋根体の連結部の断面図である。
【図７】連結部を下方から見た図である。
【図８】カバー部材を開いた状態を示した断面図である。
【図９】他の実施形態にかかる連結部の断面図である。
【図１０】連結部材ごと、カバー部材を開いた状態を示した断面図である。
【図１１】連結部材を残し、カバー部材だけを開いた状態を示した断面図である。
【符号の説明】
【００４１】
１  カーポート（簡易建物）
３  前フレーム
５  後フレーム
７  屋根体
７Ａ  桁
７Ｂ  たるき
５１  連結部
５５  連結部材
５７  カバー部材
Ｗ  桁同士の隙間
【図１】
2005076260.tif 000003
【図２】
2005076260.tif 000004
【図３】
2005076260.tif 000005
【図４】
2005076260.tif 000006
【図５】
2005076260.tif 000007
【図６】
2005076260.tif 000008
【図７】
2005076260.tif 000009
【図８】
2005076260.tif 000010
【図９】
2005076260.tif 000011
【図１０】
2005076260.tif 000012
【図１１】
2005076260.tif 000013